(57)【要約】【課題】電動機を制御して電源高調波を抑え同時に電動機からの振動も抑えつつ低コストで使用勝手の良い電動機器を提供する。【解決手段】電動機１のステータ１ａ、１ｂより複数のタップ１ｃ〜１ｈを出し、タップの切り替えにより電動機１の入力を切り替え、その中で通常の位相制御を行うことによって電動機１から発生する振動を抑え、且つ電源高調波の低い領域でタップの切り替えを行うことによって電源高調波電流のレベルを全領域において低いものにする。【選択図】図１
2006109622.tif 000002
【特許請求の範囲】
【請求項１】
ステータより複数個の中間タップを出し、そのタップを切り替えることによって入力を可変させる電動機と、各タップ毎に電動機を駆動させるための駆動手段と、各タップを選択する為の切り替え手段とを備え、前記駆動手段は前記切り替え手段により選択した一対のタップにより決定する入力範囲において前記電動機の入力を任意に可変可能な構成として、電動機の出力可能な全領域において電動機入力値を可変することができるようにした電動機器。
【請求項２】
駆動手段は、タップの切り替えにより選択した各入力範囲において電動機の高調波が規格内に入る領域で動作させ、規格を超える領域はタップの切り替えにより別の入力範囲で動作させる構成とした請求項1記載の電動機器。
【請求項３】
駆動手段はタップの切り替えにより選択した各入力範囲において段階的に電動機入力値を可変する構成とした請求項1記載の電動機器。
【請求項４】
駆動手段はタップの切り替えにより選択した入力範囲において位相制御により電動機入力値を可変させる場合、電動機高調波が規格を満足できない領域においては、その領域だけ入力をとばすように構成した請求項１記載の電動機器。
【請求項５】
駆動手段はタップの切り替えにより選択した入力範囲において位相制御により電動機入力値を可変させる場合、高調波が規格を満足できない領域においては、その領域はタップの切り替えを行い別の入力領域を選択し動作させる構成とした請求項１記載の電動機器。
【請求項６】
タップの切り替え手段により選択した入力範囲において、それぞれ電動機に流れる電流を読み込むための電流検知手段と、タップの切り替えを行う際に各入力範囲のバラツキによって発生する入力の差が最小になるように調整を行う調整手段を備え、当該調整手段による調整でばらつきを抑える構成とした請求項１記載の電動機器。
【請求項７】
電流検知手段を備え、電流検知手段が検出する電流値によって電動機の断線を判断する断線検出手段を備えた請求項１記載の電動機器。
【請求項８】
ステータの一つに複数の巻き線を施して複数個のタップを出し、そのタップを切り替えることによって入力を可変させる電動機と、各タップ毎に電動機を駆動させるための駆動手段と、各タップを選択する為の切り替え手段とを備え、前記駆動手段は各入力範囲において電動機の高調波が規格内に入る領域で動作させ、規格を超える領域はタップの切り替えにより別の入力範囲で動作させる構成とした電動機器。
【請求項９】
駆動手段はタップの切り替えにより選択した各入力範囲において段階的に電動機入力値を可変する構成とした請求項８記載の電動機器。
【請求項１０】
位相制御部を備え、駆動手段はタップの切り替えにより選択した入力範囲において位相制御により電動機入力値を可変させる場合、電動機高調波が規格を満足できない領域においては、その領域だけ入力をとばすように構成した請求項８記載の電動機器。
【請求項１１】
位相制御部を備え、駆動手段はタップの切り替えにより選択した入力範囲において位相制御により電動機入力値を可変させる場合、高調波が規格を満足できない領域においては、その領域はタップの切り替えを行い別の入力領域を選択し動作させる構成とした請求項８記載の電動機器。
【請求項１２】
タップの切り替え手段により選択した入力範囲において、それぞれ電動機に流れる電流を読み込むための電流検知手段と、タップの切り替えを行う際に各入力範囲のバラツキによって発生する入力の差が最小になるように調整を行う調整手段を備え、当該調整手段による調整でばらつきを抑える構成とした請求項８記載の電動機器。
【請求項１３】
電流検知手段と、電流の検出する値によって電動機の断線を判断する断線検出手段を備えた請求項８記載の電動機器。
【発明の詳細な説明】
【技術分野】
【０００１】
本発明は、一般家庭等で使用される電気掃除機等の電動機器に関するものである。
【背景技術】
【０００２】
従来の電気掃除機は、特許文献１、２に示すような構成が一般的である。以下その構成を説明する。
【０００３】
まず特許文献１は図１０に示すように構成されている。１は電動機である電動送風機、５は商用電源、６は電動送風機１を駆動する双方向サイリスタで、以下双方向性サイリスタと言う。７は前記双方向性サイリスタ６の位相角を変化させる掃除機本体の吸引力を変化させる双方向性サイリスタ駆動手段である。
【０００４】
この回路構成において電動送風機１に印加される電圧を図１１に示すように小さな位相角α１と大きな位相角α２を１サイクル毎に交互に変化させて双方向性サイリスタ６に印加する。この時電動送風機１に印加される実効電圧は位相角α１と位相角α２のほぼ中間となるため、速度調節することができる。そして、電動送風機を駆動しているときに発生する高調波電流は位相角α１で発生する高調波電流と位相角α２で発生する高調波電流の２種類となり、それぞれの位相角で高調波電流の発生するレベルは半分となるため、全体としての高調波電流のレベルは低減することになる。
【０００５】
次に特許文献２は図１２に示すように構成されている。１は電動送風機、１ａ，１ｂはステータ、２ｕは電動送風機駆動手段、３は切り替え手段、４は入力選択手段、５は商用電源である。
【０００６】
この回路構成において、切り替え手段３によってステータ１ａ，１ｂから引き出されているタップを選択する。このタップによって、高入力と低入力の２つの入力を選択することができる。低入力側のタップでは電動送風機に流れる電流が少ないため高調波電流も小さくなり、位相制御を行うことにより入力を変動させることができ、電源高調波も同時に満足することができる。高入力側のタップにおいては高調波電流が規格を満足できないレベルになるため、最大入力だけを使用し高入力化している。また、従来の電気掃除機の入力としは、低入力側と高入力側の入力の差があまりなかったために高入力側のタップを使用して運転を行うときは、特に特別な制御を必要としなかった。
【特許文献１】特開昭６３−２７４３９６号公報
【特許文献２】特開平７−６７８１６号公報
【発明の開示】
【発明が解決しようとする課題】
【０００７】
しかしながら上記文献１の構成においての課題は、電動送風機１を駆動させた場合、１サイクル毎に電動送風機１に印加される電圧が変化するため、電動送風機１が振動や異音を伴いながら駆動してしまい、上記の制御を行った電気掃除機本体から振動が発生し、使用者にその振動が伝わり、電気掃除機として使用性の低下の原因となる。また、電動送風機１を高入力化することによって電気掃除機の性能を高めようとした場合、電動送風機１の入力の大きさに応じて電動送風機１に流れる電流が大きくなり、それに伴い高調波電流も大きくなる。この場合に高調波電流のレベルを低減させるのに、前述した制御方法においては２つの位相角α１とα２の位相差を大きくしていく必要がある。位相差を大きくしていくにしたがって電動送風機からの振動、異音も大きくなっていく。したがって上記制御によって電源高調波を抑える場合、電動送風機１の入力を大きくしていくにも限界があることになる。
【０００８】
また、特許文献２のように入力をタップにより低入力から高入力に切り替えるものは、入力が大きく変動するため電動送風機１から発生される音も大きく変動し、違和感を感じる場合がある。
【０００９】
本発明は上記課題を解決するもので、電動送風機等の電動機を制御して電源高調波を抑え同時に電動機からの振動、切り替え時の電動機の音の差も抑えつつ安価で使用勝手の良い電動機器を提供することを目的とするものである。
【課題を解決するための手段】
【００１０】
上記従来の課題を解決するために本発明は、電動機のステータより複数のタップを引き出し、タップの切り替えによって電動機の入力を切り替え、その中で通常の一般的な位相制御を行うことによって電動機から発生する振動を抑えたものにし、且つ高入力側においても位相制御をかけることにより高調波電流の低い領域でタップの切り替えを行うことによって高調波電流のレベルを全領域において低くし、規格を満足するものにするものである。
【発明の効果】
【００１１】
本発明は、電動機のタップ切り替えを使用することで電源高調波の規格を満足できると共に、電動機からの振動をなくすことができるようになり、タップ切り替え時の入力変化音をなめらかにする事ができ、また更なる電動機の高入力化にも対応することができる。
【発明を実施するための最良の形態】
【００１２】
第１の発明は、ステータより複数個の中間タップを出し、そのタップを切り替えることによって入力を可変させる電動機と、各タップ毎に電動機を駆動させるための駆動手段と、各タップを選択する為の切り替え手段とを備え、前記駆動手段は前記切り替え手段により選択した一対のタップにより決定する入力範囲において前記電動機の入力を任意に可変可能な構成として、電動機の出力可能な全領域において電動機入力値を可変することができる。
【００１３】
第２の発明は、駆動手段は、タップの切り替えにより選択した各入力範囲において電動機の高調波が規格内に入る領域で動作させ、規格を超える領域はタップの切り替えにより別の入力範囲で動作させる。
【００１４】
第３の発明は、駆動手段はタップの切り替えにより選択した各入力範囲において段階的に電動機入力値を可変する。
【００１５】
第４の発明は、駆動手段はタップの切り替えにより選択した入力範囲において位相制御により電動機入力値を可変させる場合、電動機高調波が規格を満足できない領域においては、その領域だけ入力をとばすようにする。
【００１６】
第５の発明は、駆動手段はタップの切り替えにより選択した入力範囲において位相制御により電動機入力値を可変させる場合、高調波が規格を満足できない領域においては、その領域はタップの切り替えを行い別の入力領域を選択し動作させる。
【００１７】
第６の発明は、タップの切り替え手段により選択した入力範囲において、それぞれ電動機に流れる電流を読み込むための電流検知手段と、タップの切り替えを行う際に各入力範囲のバラツキによって発生する入力の差が最小になるように調整を行う調整手段を備え、当該調整手段による調整でばらつきを抑える。
【００１８】
第７の発明は、電流検知手段を備え、電流の検出する値によって電動機の断線を判断する。
【００１９】
第８の発明は、ステータの一つに複数の巻き線を施して複数個のタップを出し、そのタップを切り替えることによって入力を可変させる電動機と、各タップ毎に電動機を駆動させるための駆動手段と、各タップを選択する為の切り替え手段とを備え、前記駆動手段は各入力範囲において電動機の高調波が規格内に入る領域で動作させ、規格を超える領域はタップの切り替えにより別の入力範囲で動作させる。
【００２０】
第９の発明は、駆動手段はタップの切り替えにより選択した各入力範囲において段階的に電動機入力値を可変する。
【００２１】
第１０の発明は、位相制御部を備え、駆動手段はタップの切り替えにより選択した入力範囲において位相制御により電動機入力値を可変させる場合、電動機高調波が規格を満足できない領域においては、その領域だけ入力をとばす。
【００２２】
第１１の発明は、位相制御部を備え、駆動手段はタップの切り替えにより選択した入力範囲において位相制御により電動機入力値を可変させる場合、高調波が規格を満足できない領域においては、その領域はタップの切り替えを行い別の入力領域を選択し動作させる。
【００２３】
第１２の発明は、タップの切り替え手段により選択した入力範囲において、それぞれ電動機に流れる電流を読み込むための電流検知手段と、タップの切り替えを行う際に各入力範囲のバラツキによって発生する入力の差が最小になるように調整を行う調整手段を備え、当該調整手段による調整でばらつきを抑えた。
【００２４】
第１３の発明は、電流検知手段と、電流検知手段が検出した電流値によって電動機の断線を判断する。
【００２５】
以下本発明の電動機器の実施形態を説明するが、電動機器の一例として電気掃除機を取り上げて説明する。
【００２６】
（実施の形態１）
図１〜図６は請求項１に関する実施の形態である。図１は電気掃除機のブロック図、図２は電動送風機の入力範囲図、図３は電動送風機を駆動させる為の回路構成図、図４は電動送風機に制御を行う時の電動送風機に印加される電圧の位相量と高調波電流値との関係図、図５はタップ切り替えを行うことのできる電動送風機を使用したときの電動送風機に印加される電圧の位相量と高調波電流値との関係図、図６は電動送風機に印加される電圧の位相量と電動送風機の入力値との関係図である。
【００２７】
図１において１は電動機となる電動送風機で、塵埃を吸引する為のものであり、１ａ，１ｂのステータの中間よりタップ１ｃ，１ｄ，１ｅ，１ｆ，１ｇ，１ｈを備えているものである。２は前記電動送風機１を駆動する為の駆動手段、３は前記電動送風機１の備えられているタップ１ｃ〜１ｈを切り替えるための切り替え手段で、以下のものを備えている。２ｉ，２ｊ，２ｋ，２ｌ，２ｍ，２ｎは前記タップ１ｃ〜１ｈを切り替えるための切り替えスイッチであり、２ｏ，２ｐ，２ｑは前記切り替えスイッチ２ｉ〜２ｎを駆動させる為の切り替え駆動手段である。又、駆動手段２には前記電動送風機１に備えられているタップ１ｃ〜１ｄ毎に電動送風機１を駆動させる為の電動送風機駆動手段２ｒ，２ｓ，２ｔも備えている。４は前記電動送風機１の入力を可変させる為の入力選択手段、５は商用電源である。
【００２８】
以上のように構成した電気掃除機について、以下その動作を説明する。
【００２９】
電動送風機１のステータ１ａ，１ｂの途中から高入力、中入力、低入力に各々対応した複数のタップを引き出し、そのタップ一対を選択することによって電動送風機１の入力を決定することができる。図１に示した電動送風機の場合、タップ１ｃと１ｈを選択した場合(以下タップＡと言う)電動送風機の入力は低入力となり、タップ１ｄと１ｇを選択した場合(以下タップＢと言う)には中入力となり、タップ１ｅと１ｆを選択した場合(以下タップＣと言う)は高入力となる。
【００３０】
そして前記タップＡ，Ｂ，Ｃは切り替え手段３によって切り替えを行うが、本実施例ではそれぞれのタップに切り替えスイッチを用いた構成としている。本実施例の場合は１ｃのタップに切り替えスイッチ２ｉを対応させる。以下１ｄに２ｊ、１ｅに２ｋ、１ｆに２ｌ、１ｇに２ｍ、１ｈに２ｎをそれぞれ対応させる。
【００３１】
ここで前述のタップの組み合わせ、タップＡ，Ｂ，Ｃが同時に「入」「切」するように切り替えスイッチ２ｉと２ｎ、２ｊと２ｍ、２ｋと２ｌを同時に「入」「切」するようにしていく。
【００３２】
なお、この切り替えスイッチ２ｉ〜２ｎによる具体的な切り替え方法として、例えばマイクロスイッチのように機械的に接点をＯＮ，ＯＦＦさせるスイッチを使用して前記の組み合わせで駆動させてタップＡ，Ｂ，Ｃを切り替える方法がある。この場合切り替え駆動手段２ｏ，２ｐ，２ｑは、前記切り替えスイッチ２ｉと２ｎ、２ｊと２ｍ、２ｋと２ｌをそれぞれ同時にＯＮ，ＯＦＦさせるような機械的構成となる。
【００３３】
また、双方向性サイリスタのように電気的にＯＮ，ＯＦＦさせる場合が考えられる。この場合には、切り替え駆動手段２ｏ，２ｐ，２ｑには、マイクロコンピュータ(以下マイコンと称す)などが当てはまるようになる。
【００３４】
本実施例では切り替えスイッチにマイクロスイッチを使用する。
【００３５】
次に切り替え手段３によって電動送風機１のタップＡ，Ｂ，Ｃのいずれかを選択した後、選択したタップを通して電動送風機１を駆動させる為の電動送風機駆動手段２ｒ、２ｓ、２ｔによって駆動を行う。本実施例の場合では、図２示すように入力を低入力から高入力まで連続的に可変させたい為に駆動させる手段として双方向性サイリスタを使用するものとして考える。また、入力選択手段４としてはスライド抵抗などを使用して使用者が入力値を選択することができるようにする。本実施例ではタップＡ，Ｂ，Ｃのいずれかを選択した時の回路として、図３に示すような回路構成で電動送風機１を駆動させるものとして説明を進めていくことにする。
【００３６】
図３において、１１は電動送風機１を制御する位相制御部で、コンデンサ１２とスライド抵抗１３とによって決定される電圧に応じて位相角を決定するダイアック１４とダイアック１４からの出力によって電動送風機１を駆動制御する双方向性サイリスタ１５を備えている。図中５は商用電源である。
【００３７】
この回路構成によれば入力選択手段４としてのスライド抵抗１３の抵抗値を大きい値から小さい値にしていくことで電動送風機１の入力が大きくなっていく。タップＡを選択した時の入力が最大になった時切り替えスイッチを駆動させタップＢに切り替えを行う。タップを切り替えた後入力選択手段４のスライド抵抗の抵抗値をタップ切り替え前の抵抗値よりも高くすることによってタップ切り替え前後の入力が同じ値になるように抵抗値を設定する。ここから徐々に抵抗値を下げタップＢの入力が最大になった時にタップＣに切り替えその後は前述したものと同じ動作を行わせる。
【００３８】
以上のような動作をさせた時、本実施例の電気掃除機は入力が図２にしめすように最大の消費電力が１８００Ｗとする。ここで、本発明に使用するタップ出しの電動送風機を使用しない場合、最大入力１８００Ｗの電動送風機を図４に示す回路で動作させ、位相制御をかけて駆動させると図５に示すように電動送風機１を駆動する位相が９０°に近い部分で前記電動送風機１に流れる電流が大きくなると高調波電流も大きくなり、規格(点線で示す)を満足することができなくなってしまう。
【００３９】
ここで、図２のように各タップ入力を設定すると図７の様に位相に対する高調波電流が発生する。また、図４に示すような各タップ毎に位相と入力の関係となる。この図４の破線部分は高調波電流が規格を超える範囲を示している。図４より、低入力の範囲ではタップＡを使用し電動送風機１を駆動させ、次にタップＡが最大入力となった時にタップＢへの切り替えを行い、タップＡの最大入力値と同じ入力になる位相で電動送風機１を駆動させる。同様にタップＢが最大入力となった時にタップＣへの切り替えを行う。以上の動作により高調波電流が規格を満足することができるように電動送風機１を駆動させることができる。
【００４０】
また、電動送風機１の入力を大きくして電気掃除機としての性能を向上させていく場合、タップを切り替える部分において高調波電流が規格を満足できない場合が考えられる。この場合高調波電流が規格を満足できない部分については従来例で行った１Ｈｚ毎に位相を変え高調波電流を抑えるなどの手段を併用することによって高調波電流を抑えることができるようになる。
【００４１】
（実施の形態２）
本発明第２の形態について図７〜図８を用いて説明を行う。なお、上記実施の形態１と同一部分については同一符号を付してその説明を省略する。
【００４２】
図７は回路ブロック図、図８はタップ切り替えを行うことのできる電動送風機を使用したときの電動送風機に印加される電圧の位相量と高調波電流値との関係図である。
【００４３】
図７に於いて８は駆動手段２を動作させる為の制御手段であり、９は駆動手段２を介して電動送風機１に流れる電流の量を検出する為の電流検出手段である。以上のように構成した電気掃除機について、以下その動作を説明する。
【００４４】
実施の形態１で示したように、タップＡ，Ｂ，Ｃを切り替えて電動送風機１の入力を変えていくために、駆動手段２の切り替えスイッチとして双方向性サイリスタ２ｉ〜２ｎを使用するものとする。この双方向性サイリスタ２ｉ〜２ｎは電動送風機駆動手段としての機能も兼ね備えているものである。
【００４５】
この状態で入力選択手段を操作して双方向性サイリスタ２ｉ〜２ｎを駆動させ電動送風機の入力が大きくなっていくように位相を変え、入力が最大の値になったらタップＢが選択される双方向性サイリスタを駆動させる。同様にタップＣへの切り替えを行うようにする。
【００４６】
この制御により実施の形態１と同様に図４に示すような制御を行うことが可能となる。この時選択手段４に使用される部品点数を削減することができるため安価に回路を構成することができるようになる。
【００４７】
また、高調波電流が規格を満足できない範囲は入力をとばすようにすることで高調波電流を満足させることができる。例えば図７の構成においてタップＢの部分が無くタップＡとタップＣで電動送風機１が構成されている場合、図４においてタップＡを最大入力まで制御を行いタップＣに切り替えるといった動作をさせるときに、タップＣの時の入力値として１２００Ｗから１４５０Ｗまでは高調波電流を満足できない領域となる。この時タップＡで３００Ｗから１２００Ｗまで動作させ、次にタップＣで１４５０Ｗから１８００Ｗまでを駆動させるようにする。入力が飛ぶことによりスムーズな入力の切り替えは行えなくなるものの電気掃除機としての使用実感には問題の無いものにすることができるようになる。
【００４８】
次に、入力を段階的に選択できるようにして高調波電流を満足させて動作させることも可能である。例えば入力制御手段４により選択できる入力を３００Ｗ，１０００Ｗ，１４５０Ｗ，１８００Ｗとした場合、タップＡにより３００Ｗ，１０００Ｗを選択できるようにし、タップＢ又はタップＣで１４５０Ｗを選択できるようにし、最後にタップＣで１８００Ｗを選択できるようにする。
【００４９】
また、電動送風機１の各タップの入力を上げていき、最高で２１００Ｗの入力が得ることのできる電動送風機１があるとする。そのとき電動送風機１のタップ毎の位相と高調波電流を満足できない範囲が図８のような関係になるとした場合、図に示すようにタップＡからタップＢ（図１の部分）、次にタップＢからタップＡ（図２）次にタップＢからタップＣ（図３）、次にタップＢからタップＣ（図４）の順でタップの切り替えを行う。これにより、電動送風機１の入力が大きくなった場合にも対応することができる。
【００５０】
次に、タップの切り替えを行う場合、タップ切り替え前後に於いて入力を合わせるように位相の設定を行った場合であっても、電動送風機１のステータに巻き先を巻く際のばらつきにより入力値のずれが生じる場合が考えられる。ここで、タップを切り替える前の電動送風機１に流れる電流と、タップを切り替えたあと電流を検出しそれぞれの電流値が同じ値になるよう制御手段８に調整手段を設けて位相を合わせこむことができる構成とする。これによりタップの切り替え時に発生する入力のずれをなくすことができ、スムーズな動作をすることが可能となる。又、電流検出手段９により動作中の電流値を検出することによって電動送風機１のレアショート等の異常状態を早急に発見することができるようになり、安全性を向上させることができる。
【００５１】
（実施の形態３）
本発明第３の実施の形態について図９を用いて説明を行う。尚、上記実施の形態と同一部分については同一符号を付してその説明を省略する。
【００５２】
図９は本発明の第３の実施の形態における回路ブロック図である。
【００５３】
本実施の形態における電動送風機１はステータ２１の片側にはコモンライン２２となる巻線が巻かれタップとして電動送風機から出ている。また同じステータ２１に低入力を取り出すことのできるタップ２３も出されており、そのステータ２１に巻かれた巻き線はもうひとつのステータ２４まで延長して巻かれ、その終端でタップ２５を出す構成になっている。
【００５４】
この構成により、いままで一対にタップによって電動送風機の入力を取り出していたものが、コモンライン２２と各入力に対応するタップ２３、２５から入力を取り出すことができるようになる。また、各入力を取り出すことのできるタップ２３或いは２５を出している巻き線の途中から複数のタップを出すことにより複数の入力を選択することのできる電動送風機とすることができる。
【００５５】
上記のような電動送風機を使用した時に、実施の形態２で説明したものと同様の動作を駆動手段２内の切り替え手段兼電動送風機駆動手段の数量を削減させて駆動させることができ、これにより回路構成を簡素化でき、安価にすることができると共に、部品点数の削減も同時に行える為、基板を作成する時の設計の自由度も向上させることができる。
【産業上の利用可能性】
【００５６】
以上のように、本発明にかかる電動機器は、高調波電流を抑えかつ振動の少ない制御を行うことができ、商品性の向上および今後の高入力化による性能の向上に対応していくことができる。
【００５７】
更に、本発明の制御を行うことにより高調波電流を抑えることができるため、電気掃除機以外の機器、例えば電気洗濯機、衣類乾燥機等の電動機を用いる電動機器であればどのような機器においても利用できるものである。
【図面の簡単な説明】
【００５８】
【図１】本発明の実施の形態における回路ブロック図
【図２】本発明第１の実施の形態における電動送風機の入力範囲表示図
【図３】本発明第１の実施の形態における回路構成図
【図４】本発明第１の実施の形態における電動送風機に印加される電圧の位相量と高調波電流との関係図
【図５】本発明第１の実施の形態における動機を使用したときの電動送風機に印加される電圧の位相量と高調波電流値との関係図
【図６】本発明第１の実施の形態における電動送風機に印加される電圧の位相量と電動送風機の入力値との関係図
【図７】本発明第２の実施の形態における回路ブロック図
【図８】本発明第２の実施の形態における電動送風機に印加される電圧の位相量と高調波電流との関係図
【図９】本発明第３の実施の形態における回路ブロック図
【図１０】従来の電気掃除機の回路ブロック図
【図１１】従来の電気掃除機の電動送風機に印加される電圧波形図
【図１２】従来の電気掃除機の回路ブロック図
【符号の説明】
【００５９】
１  電動送風機(電動機)
１ａ〜１ｂ  ステータ
１ｃ〜１ｈ  入力取り出し用タップ
２  駆動手段
２ｉ〜２ｎ  切り替えスイッチ
２ｏ〜２ｑ  切り替え駆動手段
２ｒ〜２ｕ  電動送風機駆動手段
３  切り替え手段
４  入力選択手段
５  商用電源
６  双方向性サイリスタ
７  双方向性サイリスタ駆動手段
８  制御手段
９  電流検出手段
【図１】
2006109622.tif 000003
【図２】
2006109622.tif 000004
【図３】
2006109622.tif 000005
【図４】
2006109622.tif 000006
【図５】
2006109622.tif 000007
【図６】
2006109622.tif 000008
【図７】
2006109622.tif 000009
【図８】
2006109622.tif 000010
【図９】
2006109622.tif 000011
【図１０】
2006109622.tif 000012
【図１１】
2006109622.tif 000013
【図１２】
2006109622.tif 000014